(57)【要約】【課題】テレビ放送を表示中に電話や電子メールの着信等のイベントが発生した場合に、ユーザの意思を反映した動作を行うことができるとともに、操作性を向上させることができる携帯端末装置を提供する。【解決手段】携帯端末装置１００は、重ね合わされているか否かを検出する開閉検出部１２０と、ＴＶ受信部１０１と、映像を表示する第１および第２表示部１０９ａ，１０９ｂと、音声を再生する音声再生部１１０と、ＣＭを検出するＣＭ検出部１１１と、受信されたテレビ放送が出力されている際に、ＣＭが検出されると、第１および第２表示部１０９ａ，１０９ｂでのテレビ放送の映像の表示を停止する、または音声再生部１１０でのテレビ放送の音声の再生を停止する制御部１１９とを備え、制御部１１９は、受信されたテレビ放送が出力されている際に、開閉検出部１２０により重ね合わされたことが検出されると、テレビ放送に対する処理を制御する。【選択図】図１
2011244483.tif 000002
【特許請求の範囲】
【請求項１】
携帯端末装置であって、
前記携帯端末装置における第１本体部および第２本体部は接続部を介して重ね合わせ可能に連結され、
前記第１本体部および前記第２本体部が重ね合わされているか開いているかを検出する開閉検出手段と、
テレビ放送信号を受信する放送受信手段と、
映像を表示する表示手段と、
音声を再生する音声再生手段と、
ＣＭを検出するＣＭ検出手段と、
受信された前記テレビ放送を前記表示手段および前記音声再生手段で出力している際に、前記ＣＭ検出手段によりＣＭが検出されると、前記表示手段での前記テレビ放送の映像の表示を停止する、または前記音声再生手段での前記テレビ放送の音声の再生を停止する制御手段とを備え、
前記制御手段は、受信された前記テレビ放送を前記表示手段および前記音声再生手段で出力している際に、前記開閉検出手段により前記第１本体部および前記第２本体部が重ね合わされたことが検出されると、前記テレビ放送に対する処理を制御する
ことを特徴とする携帯端末装置。
【請求項２】
前記携帯端末装置は、さらに、
受信された前記テレビ放送を記録する記憶手段と、
前記テレビ放送の前記記憶手段への記録を制御する記録制御手段とを備え、
前記制御手段は、前記開閉検出手段により前記第１本体部および前記第２本体部が重ね合わされたことが検出されると、前記記録制御手段に対して前記テレビ放送を記録するように指示する
ことを特徴とする請求項１記載の携帯端末装置。
【請求項３】
前記携帯端末装置は、さらに、
記録された前記テレビ放送を再生する再生制御手段を備え、
前記制御手段は、前記開閉検出手段により前記第１本体部および前記第２本体部が重ね合わされた状態から開かれたことが検出されると、前記再生制御手段に対して記録された前記テレビ放送を再生するように指示する
ことを特徴とする請求項２記載の携帯端末装置。
【請求項４】
前記制御手段は、前記開閉検出手段により前記第１本体部および前記第２本体部が重ね合わされた状態から再び開かれたことが検出されると、前記重ね合わされたときから再び開かれるまでの間に前記テレビ放送を記録したことをユーザへ通知する
ことを特徴とする請求項２記載の携帯端末装置。
【請求項５】
前記制御手段は、前記開閉検出手段により前記第１本体部および前記第２本体部が重ね合わされた状態から再び開かれたことが検出されると、前記重ね合わされたときから再び開かれるまでの間に記録された前記テレビ放送を再生するか否かをユーザへ問い合わせする
ことを特徴とする請求項２記載の携帯端末装置。
【請求項６】
前記制御手段は、前記開閉検出手段により前記第１本体部および前記第２本体部が重ね合わされたことが検出されると、前記テレビ放送の受信および表示を制御する
ことを特徴とする請求項１記載の携帯端末装置。
【請求項７】
前記制御手段は、前記開閉検出手段により前記第１本体部および前記第２本体部が重ね合わされたことが検出されると、前記テレビ放送の表示を停止する
ことを特徴とする請求項１記載の携帯端末装置。
【請求項８】
前記制御手段は、前記開閉検出手段により前記第１本体部および前記第２本体部が重ね合わされたことが検出されると、前記テレビ放送の受信を停止する
ことを特徴とする請求項１記載の携帯端末装置。
【請求項９】
前記制御手段は、前記開閉検出手段により前記第１本体部および前記第２本体部が重ね合わされたことが検出されると、前記携帯端末装置と通信可能な記録装置に対して前記テレビ放送を記録するように指示する
ことを特徴とする請求項１記載の携帯端末装置。
【請求項１０】
前記携帯端末装置は、さらに、
受信された前記テレビ放送を記録する記憶手段と、
前記テレビ放送の前記記憶手段への記録を制御する記録制御手段とを備え、
前記制御手段は、前記記録装置に対する記録指示とともに、前記記録制御手段に対して前記テレビ放送を記録するように指示し、前記記録装置から記録開始の通知により前記記録制御手段に対して前記テレビ放送の記録を終了するように指示する
ことを特徴とする請求項９記載の携帯端末装置。
【請求項１１】
前記制御手段は、前記記録装置から記録終了の通知を受けると、前記記録装置で前記テレビ放送を記録したことをユーザへ通知する
ことを特徴とする請求項９記載の携帯端末装置。
【請求項１２】
テレビ放送信号を再生する携帯端末装置における制御方法であって、
前記携帯端末装置における第１本体部および第２本体部は接続部を介して重ね合わせ可能に連結され、
前記第１本体部および前記第２本体部が重ね合わされているか開いているかを検出する開閉検出ステップと、
テレビ放送信号を受信する放送受信ステップと、
映像を表示する表示ステップと、
音声を再生する音声再生ステップと、
ＣＭを検出するＣＭ検出ステップと、
受信された前記テレビ放送を前記表示ステップおよび前記音声再生ステップにより出力している際に、前記ＣＭ検出ステップによりＣＭが検出されると、前記表示ステップでの前記テレビ放送の映像の表示を停止する、または前記音声再生ステップでの前記テレビ放送の音声の再生を停止する制御ステップとを含み、
前記制御ステップでは、受信された前記テレビ放送を前記表示ステップおよび前記音声再生ステップで出力している際に、前記開閉検出ステップで前記第１本体部および前記第２本体部が重ね合わされたことが検出されると、前記テレビ放送に対する処理を制御する
ことを特徴とする制御方法。
【請求項１３】
テレビ放送信号を再生する携帯端末装置を制御するためのプログラムであって、
前記携帯端末装置における第１本体部および第２本体部は接続部を介して重ね合わせ可能に連結され、
前記第１本体部および前記第２本体部が重ね合わされているか開いているかを検出する開閉検出ステップと、
テレビ放送信号を受信する放送受信ステップと、
映像を表示する表示ステップと、
音声を再生する音声再生ステップと、
ＣＭを検出するＣＭ検出ステップと、
受信された前記テレビ放送を前記表示ステップおよび前記音声再生ステップにより出力している際に、前記ＣＭ検出ステップによりＣＭが検出されると、前記表示ステップでの前記テレビ放送の映像の表示を停止する、または前記音声再生ステップでの前記テレビ放送の音声の再生を停止する制御ステップとをコンピュータに実行させ、
前記制御ステップでは、受信された前記テレビ放送を前記表示ステップおよび前記音声再生ステップで出力している際に、前記開閉検出ステップで前記第１本体部および前記第２本体部が重ね合わされたことが検出されると、前記テレビ放送に対する処理を制御する
ことを特徴とするプログラム。
【請求項１４】
テレビ放送信号を再生する携帯端末装置を制御するための集積回路であって、
前記携帯端末装置における第１本体部および第２本体部は接続部を介して重ね合わせ可能に連結され、
前記第１本体部および前記第２本体部が重ね合わされているか開いているかを検出する開閉検出手段と、
テレビ放送信号を受信する放送受信手段と、
ＣＭを検出するＣＭ検出手段と、
受信された前記テレビ放送を出力している際に、前記ＣＭ検出手段によりＣＭが検出されると、前記テレビ放送の映像の表示を停止する、または前記テレビ放送の音声の再生を停止する制御手段とを備え、
前記制御手段は、受信された前記テレビ放送を前記表示手段および前記音声再生手段で出力している際に、前記開閉検出手段により前記第１本体部および前記第２本体部が重ね合わされたことが検出されると、前記テレビ放送に対する処理を制御する
ことを特徴とする集積回路。
【発明の詳細な説明】
【技術分野】
【０００１】
本発明は、例えば携帯電話機や携帯情報端末等の携帯端末装置に関し、特にテレビ放送を受信し、表示する携帯端末装置に関する。
【背景技術】
【０００２】
近年、例えば携帯電話機や携帯情報端末等の携帯端末装置では、装置の小型化や多機能化が進み、テレビ放送を受信し、表示することができる機種が登場してきている。また、視聴装置においても、装置の小型化や多機能化が進み、テレビ放送の視聴と同時に録画を行うことができる視聴装置も登場してきている。
【０００３】
このような視聴装置では、地上波ディジタル放送を受信し視聴を行いつつメモリカードへの録画を行っている状態で、何らかの用事が生じて視聴を止めることとなった場合などに、どこまで視聴したかを示すマーク情報をメモリカードに記録するようにした携帯型視聴装置が提案されている（例えば、特許文献１参照。）。この携帯型視聴装置では、後でメモリカードから番組再生を行うときには、マーク情報に基づいて未視聴箇所から番組を再生するようにしている。
【先行技術文献】
【特許文献】
【０００４】
【特許文献１】特開２００３−１０１９２１号公報
【発明の概要】
【発明が解決しようとする課題】
【０００５】
しかしながら、上記のような携帯型視聴装置では、視聴を行っている間、常に録画を行っており、不必要な部分も録画することとなり、無駄になってしまう。また、常に録画を行うためには、大容量の記憶領域が必要になり、１枚のメモリカードでは録画できないという問題も生じる。
【０００６】
また、テレビ放送受信機能を有する携帯電話機では、テレビ放送の表示中に例えば電子メールの着信があった場合、電子メールを受信したことを示すマークをテレビ放送の表示中の画面上に表示するように構成されている。よって、電子メールの内容を確認したい場合には、一度テレビ放送の表示を止めてから電子メールのモードに切り替えなければならず、操作が煩雑になる。また、電話の着信があった場合、電話に出ると、テレビ放送を見ることができない。
【０００７】
また、このようにテレビ放送を表示中に電話や電子メールの着信があった場合の動作は、あらかじめ決められた動作に固定されており、ユーザの意思を反映することはできなかった。
【０００８】
そこで、本発明は上記の事情に鑑みてなされたものであり、テレビ放送を表示中に電話や電子メールの着信等のイベントが発生した場合に、ユーザの意思を反映した動作を行うことができるとともに、操作性を向上させることができる携帯端末装置を提供することを目的とする。
【課題を解決するための手段】
【０００９】
上記目的を達成するため、本発明に係る携帯端末装置は、テレビ放送を受信するテレビ受信手段と、電子メールを受信する電子メール受信手段と、前記テレビ放送または前記電子メールを表示する表示手段と、前記テレビ放送が前記表示手段に表示されている際に、前記電子メール受信手段が前記電子メールを受信した場合、前記電子メールを前記表示手段に表示する指示を受け付ける操作手段と、前記操作手段が前記電子メールを表示する指示を受け付けた場合に、前記テレビ放送と前記電子メールとを共に表示するように前記表示手段に出力する制御手段とを備え、前記操作手段は、前記テレビ放送と前記電子メールが共に表示されている状態で、前記電子メールに対する返信の指示を受け付ける。
【００１０】
また、上記目的を達成するため、本発明に係る携帯端末装置は、携帯端末装置であって、前記携帯端末装置における第１本体部および第２本体部は接続部を介して重ね合わせ可能に連結され、前記第１本体部および前記第２本体部が重ね合わされているか開いているかを検出する開閉検出手段と、テレビ放送信号を受信する放送受信手段と、映像を表示する表示手段と、音声を再生する音声再生手段と、ＣＭを検出するＣＭ検出手段と、受信された前記テレビ放送を前記表示手段および前記音声再生手段で出力している際に、前記ＣＭ検出手段によりＣＭが検出されると、前記表示手段での前記テレビ放送の映像の表示を停止する、または前記音声再生手段での前記テレビ放送の音声の再生を停止する制御手段とを備え、前記制御手段は、受信された前記テレビ放送を前記表示手段および前記音声再生手段で出力している際に、前記開閉検出手段により前記第１本体部および前記第２本体部が重ね合わされたことが検出されると、前記テレビ放送に対する処理を制御することを特徴とする。
【００１１】
また、上記目的を達成するため、本発明に係る携帯端末装置は、テレビ放送信号を受信する放送受信手段と、映像を表示する表示手段と、音声を再生する音声再生手段と、ＣＭを検出するＣＭ検出手段と、受信された前記テレビ放送を前記表示手段および前記音声再生手段で出力している際に、前記ＣＭ検出手段によりＣＭが検出されると、前記表示手段での前記テレビ放送の映像の表示を停止する、または前記音声再生手段での前記テレビ放送の音声の再生を停止する制御手段とを備えることを特徴とする。
【００１２】
また、上記目的を達成するため、本発明に係る携帯端末装置は、テレビ放送信号を受信する放送受信手段と、映像を表示する表示手段と、音声を再生する音声再生手段と、受信された前記テレビ放送を前記表示手段および前記音声再生手段で出力している際に、イベントが発生した場合に、前記表示手段での前記テレビ放送の映像の表示、前記音声再生手段での前記テレビ放送の音声の再生、および前記イベントの少なくとも１つを制御する制御手段とを備えることを特徴とする。
【００１３】
これによって、テレビ放送を表示中に例えば電話や電子メールの着信等のイベントが発生した場合に、ユーザの意思を反映した動作を行うことができる。
【００１４】
また、前記携帯端末装置は、さらに、電子メールの送受信を行う送受信手段を備え、前記イベントは、前記電子メールの受信であり、前記制御手段は、前記電子メールが受信されると、前記映像の表示、前記音声の再生、および前記電子メールの処理を制御してもよい。
【００１５】
ここで、前記携帯端末装置は、さらに、受信された前記テレビ放送を記録する記憶手段と、前記テレビ放送の前記記憶手段への記録を制御する記録制御手段とを備え、前記制御手段は、前記電子メールが受信されると、前記記録制御手段に対して前記テレビ放送を記録するように指示するとともに、前記電子メールを前記表示手段に表示させることが好ましい。
【００１６】
これによって、テレビ放送の表示中に電子メールを受信し、この電子メールを表示する場合に、電子メールをすぐに確認することができ、さらに電子メール表示中や返信メール作成中のテレビ放送の番組も電子メール表示の終了後に見ることが可能になる。
【００１７】
また、前記携帯端末装置は、さらに、前記表示手段の画面領域を分割し、分割した領域に前記テレビ放送と前記電子メールとをそれぞれ表示する出力制御手段を備え、前記制御手段は、前記電子メールが受信されると、前記出力制御手段に対して前記テレビ放送と前記電子メールとをそれぞれ分割表示するように指示してもよい。
【００１８】
また、前記携帯端末装置は、さらに、表示を行う第２表示手段と、前記表示手段および前記第２表示手段に、前記テレビ放送と前記電子メールとをそれぞれ表示する出力制御手段を備え、前記制御手段は、前記電子メールが受信されると、前記出力制御手段に対して前記テレビ放送と前記電子メールとをそれぞれ表示するように指示してもよい。
【００１９】
これによって、テレビ放送の表示中に電子メールを受信し、この電子メールを表示する場合に、テレビ放送の番組を見ながら、電子メールをすぐに確認することができる。また、返信メール作成中であってもテレビ放送の番組を見ることができる。
【００２０】
また、前記携帯端末装置は、さらに、電話の送受信を行う送受信手段を備え、前記イベントは、前記電話の受信であり、前記制御手段は、前記電話が受信されると、前記映像の表示、前記音声の再生、および前記電話の処理を制御してもよい。
【００２１】
ここで、前記携帯端末装置は、さらに、受信された前記テレビ放送を記録する記憶手段と、前記テレビ放送の前記記憶手段への記録を制御する記録制御手段とを備え、前記制御手段は、前記回答が前記電話に応答するである場合、前記記録制御手段に対して前記テレビ放送を記録するように指示し、通話処理を行うことが好ましい。
【００２２】
これによって、テレビ放送の表示中に電話を受信し、この電話に出ても、電話中のテレビ放送の番組を通話終了後に見ることができる。
【００２３】
また、前記携帯端末装置は、第１本体部および第２本体部が接続部を介して重ね合わせ可能に連結され、さらに、受信された前記テレビ放送を記録する記憶手段と、前記テレビ放送の前記記憶手段への記録を制御する記録制御手段と、前記第１本体部および前記第２本体部が重ね合わされているか開いているかを検出する開閉検出手段とを備え、前記イベントは、前記第１本体部および前記第２本体部の重ね合わせであり、前記制御手段は、前記開閉検出手段により前記第１本体部および前記第２本体部が重ね合わされたことが検出されると、前記記録制御手段に対して前記テレビ放送を記録するように指示してもよい。なお、第１本体部および第２本体部が接続部を介して重ね合わせ可能に連結されるとは、第１本体部および第２本体部が接続部を介して折り畳み可能、または第１本体部および第２本体部が接続部を介してスライド可能に連結されるものとする。
【００２４】
また、前記携帯端末装置は、さらに、記録された前記テレビ放送を再生する再生制御手段を備え、前記制御手段は、前記開閉検出手段により前記第１本体部および前記第２本体部が重ね合わされた状態から開かれたことが検出されると、前記再生制御手段に対して記録された前記テレビ放送を再生するように指示してもよい。
【００２５】
これによって、携帯端末装置を重ね合わせるだけでテレビ放送の番組を簡単に記録することができ、さらに、重ね合わせている間のテレビ放送の番組を再度携帯端末装置を開いたときに見ることが可能になる。
【００２６】
また、前記携帯端末装置は、さらに、ユーザの操作を受け付ける操作受付手段を備え、前記イベントは、前記操作受付手段による所定操作の受け付けであり、前記制御手段は、前記操作受付手段により前記所定操作が受け付けられると、前記映像の表示、前記音声の再生、または前記テレビ放送の受信を停止してもよい。
【００２７】
これによって、電力消費の大きい表示部での電力消費がなく、電力消費を抑制することができる。
【００２８】
また、前記携帯端末装置は、さらに、ＣＭを検出するＣＭ検出手段を備え、前記イベントは、前記ＣＭ検出手段によるＣＭの検出であり、前記制御手段は、前記ＣＭ検出手段により前記ＣＭが検出されると、前記映像の表示または前記音声の再生を停止してもよい。
【００２９】
これによって、テレビ放送のＣＭ中は、電力消費の大きい表示部での電力消費がなく、電力消費を抑制することができる。
【００３０】
なお、本発明は、このような携帯端末装置として実現することができるだけでなく、このような携帯端末装置が備える特徴的な手段をステップとする方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００３１】
以上の説明から明らかなように、本発明に係る携帯端末装置によれば、テレビ放送を表示中に例えば電話や電子メールの着信等のイベントが発生した場合に、ユーザの意思を反映した動作を行うことができる。よって、テレビ放送を表示する携帯端末装置が普及しつつある今日における実用的価値は極めて高い。
【図面の簡単な説明】
【００３２】
【図１】図１は、本発明の実施の形態に係る携帯端末装置の構成を示すブロック図である。
【図２】図２は、本発明の実施の形態に係る携帯端末装置の外観を示す図であり、（ａ）は携帯端末装置の開いた状態の正面図、（ｂ）は携帯端末装置の開いた状態の背面図、（ｃ）は携帯端末装置の閉じた状態の斜視図である。
【図３】図３は、テレビ放送の表示中に電子メールを受信した場合の動作の流れを示すフローチャートである。
【図４】図４は、第１表示部の表示領域を示す図であり、（ａ）はテレビ放送だけを表示する場合、（ｂ）は表示領域を２分割した場合、（ｃ）は表示領域を子画面領域に分割した場合を示す図である。
【図５】図５は、テレビ放送の表示中に電子メールを受信した場合の他の動作の流れを示すフローチャートである。
【図６】図６は、本発明の実施の形態に係る他の携帯端末装置の外観を示す図であり、（ａ）は、携帯端末装置の開いた状態の正面図、（ｂ）は（ａ）に示す状態から一方の本体部を回転させた状態の正面図である。
【図７】図７は、テレビ放送の表示中にテレビ電話を受信した場合の動作の流れを示すフローチャートである。
【図８】図８は、テレビ放送の表示中に携帯端末装置を折り畳んだ場合の動作の流れを示すフローチャートである。
【図９】図９は、テレビ放送の表示中に携帯端末装置を折り畳んだ場合にサーバ装置でテレビ放送を記録する動作の流れを示すフローチャートである。
【図１０】図１０は、テレビ放送の表示中に携帯端末装置を折り畳んだ場合の動作の流れを示すフローチャートであり、（ａ）はテレビ放送の受信を停止する場合、（ｂ）はテレビ放送の表示を停止する場合を示すフローチャートである。
【図１１】図１１は、テレビ放送の表示中に出力停止キーを押下した場合の動作の流れを示すフローチャートである。
【図１２】図１２（ａ）は、テレビ放送の表示中にＣＭ時停止キーを押下した場合の動作の流れを示すフローチャートであり、図１２（ｂ）はあらかじめＣＭの検出を行うように設定した場合の動作の流れを示すフローチャートである。
【発明を実施するための形態】
【００３３】
以下、本発明の実施の形態について図面を参照しながら説明する。
【００３４】
図１は、本発明の実施の形態に係る携帯端末装置の構成を示すブロック図である。
【００３５】
携帯端末装置１００は、テレビ放送を受信し、受信したテレビ放送を出力したり、電話をかけたり、電子メールを送受信したりするための例えば携帯電話機等の装置であり、図１に示すようにＴＶ受信部１０１、ＴＶ処理部１０２、補助情報処理部１０３、無線部１０４、送受信処理部１０５、メール処理部１０６、メール保存部１０７、出力制御部１０８、第１表示部１０９ａ、第２表示部１０９ｂ、音声再生部１１０、ＣＭ検出部１１１、タイマー部１１２、留守電処理部１１３、操作部１１４、記録媒体１１５、記録制御部１１６、再生制御部１１７、初期設定部１１８、制御部１１９、開閉検出部１２０、通知部１２１、電話処理部１２２、および画像音声入力部１２３を備えている。
【００３６】
図２は、本発明の実施の形態に係る携帯端末装置の外観を示す図であり、（ａ）携帯端末装置の開いた状態の正面図、（ｂ）携帯端末装置の開いた状態の背面図、（ｃ）携帯端末装置の閉じた状態の斜視図である。
【００３７】
携帯端末装置１００は、図２（ａ）および（ｂ）に示すように第１本体部１５１および第２本体部１５２が接続部１５３を介して連結され、図２（ｃ）に示すように折り畳み可能に構成されている。第１本体部１５１は、正面側に第１表示部１０９ａ、音声再生部１１０のスピーカ１１０ａ、および画像音声入力部１２３のカメラ１２３ａを、背面側に第２表示部１０９ｂを備えている。第２本体部１５２は、正面側に１０キーや十字キー等の操作キーを含む操作部１１４および画像音声入力部１２３のマイク１２３ｂを、側面側に記録媒体１１５であるメモリカードｍ１が装着されるインターフェース１５４を備えている。
【００３８】
ＴＶ受信部１０１は、放送局から例えばＭＰＥＧ（Moving Picture Experts Group）２トランスポートストリーム等のストリームにより放送されているテレビ放送信号を受信する。ＴＶ処理部１０２は、ＴＶ受信部１０１により受信されたストリームを復号化し、テレビ放送の映像および音声を出力制御部１０８へ出力する。補助情報処理部１０３は、受信されたストリームより電子番組表（ＥＰＧ）等の補助情報を抽出し、出力制御部１０８へ出力する。
【００３９】
無線部１０４は、基地局との間で無線通信を行う。送受信処理部１０５は、受信したデータや送信するデータのパケット処理を行う。メール処理部１０６は、電子メールの生成や表示を行う。メール保存部１０７は、送受信した電子メールや作成中の電子メールを保存する。電話処理部１２２は、音声だけの電話および画像を伴うテレビ電話のディジタル化処理を行う。画像音声入力部１２３は、カメラ１２３ａおよびマイク１２３ｂを有し、音声および画像の入力を行う。
【００４０】
出力制御部１０８は、入力されたテレビ放送の映像および音声、テレビ放送の補助情報、電子メール、電話の音声、テレビ電話の画像および音声等の第１表示部１０９ａ、第２表示部１０９ｂ、および音声再生部１１０への出力制御を行う。第１表示部１０９ａおよび第２表示部１０９ｂは、テレビ放送の映像、テレビ放送の補助情報、電子メール、およびテレビ電話の画像等を表示する。例えば、テレビ放送の映像を第１表示部１０９ａに表示し、補助情報処理部１０３により抽出された電子番組表（ＥＰＧ）を第２表示部１０９ｂに表示するなど各種表示を行うことができる。音声再生部１１０は、テレビ放送の音声、電話の音声、およびテレビ電話の音声等を再生する。
【００４１】
ＣＭ検出部１１１は、例えばモノラル放送部分は番組でステレオ放送部分はＣＭと判定する等の方法でテレビ放送中のＣＭを検出する。タイマー部１１２は、あらかじめ設定された所定時間の計時を行う。留守電処理部１１３は、受信した電話に対して所定のメッセージで応答し、相手のメッセージを記録する。操作部１１４は、ユーザが操作を行うための例えば１０キーや十字キー等の操作キーを備える。記録媒体１１５は、テレビ放送の番組を記憶する例えばメモリカード、ハードディスク、内蔵メモリ等の記憶部である。記録制御部１１６は、受信されたテレビ放送の番組を記録媒体１１５へ記録する。再生制御部１１７は、記録媒体１１５に記録されているテレビ放送の番組を再生する。
【００４２】
制御部１１９は、テレビ放送の表示中に、電子メール、電話、およびテレビ電話等を受信した場合における動作を制御する。初期設定部１１８は、ユーザによってあらかじめ設定される初期設定を保持する。開閉検出部１２０は、第１本体部１５１および第２本体部１５２が折り畳まれているか開いているかを検出する。通知部１２１は、バイブレータ、音、発光、および表示等により電話や電子メールの受信等をユーザに通知する。
【００４３】
次に、上記のように構成された携帯端末装置１００においてテレビ放送を表示する場合の動作について説明する。
【００４４】
まず、ＴＶ受信部１０１により受信されたストリームは、ＴＶ処理部１０２へ入力される。ＴＶ処理部１０２は、入力されたストリームを復号化し、テレビ放送の映像および音声を出力制御部１０８へ出力する。出力制御部１０８は、入力されたテレビ放送の映像を第１表示部１０９ａへ、入力されたテレビ放送の音声を音声再生部１１０へ出力する。このようにして、携帯端末装置１００においてテレビ放送を表示する。
【００４５】
次に、携帯端末装置１００においてテレビ放送を表示中に、電子メール、電話、およびテレビ電話を受信した場合、携帯端末装置１００を折り畳んだ場合、出力停止キーが押下された場合、およびＣＭが検出された場合の動作について、それぞれ説明する。
【００４６】
（テレビ放送の表示中に電子メールを受信）
図３はテレビ放送の表示中に電子メールを受信した場合の動作の流れを示すフローチャートである。
【００４７】
送受信処理部１０５は、無線部１０４を介して電子メールを受信する（ステップＳ１０１）と、電子メールを受信したことを制御部１１９へ、受信した電子メールをメール処理部１０６へ通知する。メール処理部１０６は、通知された電子メールをメール保存部１０７へ格納する。一方、制御部１１９は、電子メールを受信したので表示を行うか否かの問い合わせを、テレビ放送を表示中の第１表示部１０９ａの所定の領域に表示するように出力制御部１０８に対して指示する。この指示を受けた出力制御部１０８は、第１表示部１０９ａの所定の領域に「電子メール受信したので表示を行いますか」等のメッセージを表示する（ステップＳ１０２）。ここで、メッセージを表示する第１表示部１０９ａの所定の領域としては、例えば図４（ａ）に示すようにテレビ放送を表示している領域ｄ１以外の領域ｄ２等がある。
【００４８】
メッセージの回答としてユーザにより「表示しない」が選択された場合（ステップＳ１０２でＮＯ）には、制御部１１９は、メッセージを消して、そのままテレビ放送の表示を継続するように出力制御部１０８に対して指示する。この指示を受けた出力制御部１０８は、第１表示部１０９ａの所定の領域に表示した「電子メールを受信したので表示を行いますか」等のメッセージを消してテレビ放送の表示を継続する（ステップＳ１１０）。
【００４９】
一方、メッセージの回答としてユーザにより「表示する」が選択された場合（ステップＳ１０２でＹＥＳ）には、制御部１１９は、現在表示中のテレビ放送の番組を記録媒体１１５へ記録するように記録制御部１１６へ指示する。この指示を受けた記録制御部１１６は、現在表示中のテレビ放送の番組を記録媒体１１５へ記録する（ステップＳ１０３）。同時に、制御部１１９は、受信した電子メールを第１表示部１０９ａへ表示するように出力制御部１０８へ指示する。この指示を受けた出力制御部１０８は、受信した電子メールを第１表示部１０９ａへ表示する（ステップＳ１０４）。ここで、ユーザは、電子メールの閲覧や受信した電子メールへの返信の作成等を操作部１１４を用いて操作できる。
【００５０】
次に、電子メールの表示がユーザにより終了される（ステップＳ１０５）と、制御部１１９は、記録したテレビ放送の番組を再生するか否かの問い合わせを、第１表示部１０９ａに表示するように出力制御部１０８に対して指示する。この指示を受けた出力制御部１０８は、第１表示部１０９ａに「記録したテレビ放送の番組を再生しますか」等のメッセージを表示する（ステップＳ１０６）。ここで、メッセージの回答としてユーザにより「再生する」が選択された場合（ステップＳ１０６でＹＥＳ）には、制御部１１９は、記録媒体１１５に記録されたテレビ放送の番組を再生するように再生制御部１１７へ指示する。この指示を受けた再生制御部１１７は、記録媒体１１５に記録されたテレビ放送の番組を再生する（ステップＳ１０７）。なお、記録媒体１１５に記録されたテレビ放送の番組を再生時においても、現在放送中のテレビ放送の記録媒体１１５への記録は継続されている。
【００５１】
一方、メッセージの回答としてユーザにより「再生しない」が選択された場合（ステップＳ１０６でＮＯ）には、制御部１１９は、現在放送中のテレビ放送の表示を行うように出力制御部１０８に対して指示する。この指示を受けた出力制御部１０８は、第１表示部１０９ａに現在放送中のテレビ放送の表示を再開する（ステップＳ１０８）。このとき、制御部１１９は、現在表示中のテレビ放送の番組を記録媒体１１５への記録を終了するように記録制御部１１６へ指示する。この指示を受けた記録制御部１１６は、現在表示中のテレビ放送の番組を記録媒体１１５への記録を終了する（ステップＳ１０９）。なお、このとき、制御部１１９は、記録媒体１１５へ記録したテレビ放送を削除するように記録制御部１１６に指示を行っても構わない。また、それに先立ち、記録媒体１１５へ記録したテレビ放送を削除するか否かをユーザに問い合わせても構わない。
【００５２】
なお、メッセージの回答に関わらず、制御部１１９は、現在表示中のテレビ放送の番組を記録媒体１１５への記録を終了するか否かをユーザに対して問い合わせても構わない。また、現在表示中のテレビ放送の番組の記録媒体１１５への記録を番組の終了まで継続しても構わない。なお、番組の終了は、補助情報処理部１０３により抽出された電子番組表に基づいて、判定することができる。
【００５３】
以上のように、テレビ放送の表示中に電子メールを受信し、この電子メールを表示する場合に、それまで表示していたテレビ放送の番組を記録媒体１１５へ記録しているので、電子メールをすぐに確認することができ、さらに電子メール表示中や返信メール作成中のテレビ放送の番組も電子メール表示の終了後に見ることが可能になる。
【００５４】
次に、電子メールの表示を行う際に、記録媒体１１５への記録を行わないで２画面表示を行う場合について説明する。
【００５５】
図５はテレビ放送の表示中に電子メールを受信した場合の他の動作の流れを示すフローチャートである。
【００５６】
テレビ放送の表示中に電子メールを受信し、「電子メールを受信したので表示を行いますか」等のメッセージを表示する（ステップＳ１０１〜Ｓ１０２）までの動作は、上記の場合と同様である。また、メッセージの回答としてユーザにより「表示しない」が選択された場合（ステップＳ１０２でＮＯ）も、上記同様にテレビ放送の表示を継続する（ステップＳ１０９）。 
【００５７】
一方、メッセージの回答としてユーザにより「表示する」が選択された場合（ステップＳ１０２でＹＥＳ）には、制御部１１９は、第１表示部１０９ａの画面領域を分割し、分割した領域にテレビ放送と電子メールとをそれぞれ表示するように出力制御部１０８へ指示する。この指示を受けた出力制御部１０８は、図４（ａ）に示すような第１表示部１０９ａの領域ｄ１にテレビ放送を表示していたのを終了し、例えば図４（ｂ）に示すように第１表示部１０９ａの画面領域を領域ｄ３と領域ｄ４とに２分割し、領域ｄ３に受信した電子メールを、領域ｄ４にテレビ放送を表示する（ステップＳ１１１）。ここで、ユーザは、表示部１０９ａの領域ｄ３に表示された電子メールの閲覧や受信した電子メールへの返信の作成等を操作部１１４を用いて操作できる。なお、このとき、例えば図４（ｃ）に示すように第１表示部１０９ａの領域ｄ１内に子画面となる領域ｄ５を設け、領域ｄ１に受信した電子メールを、領域ｄ５にテレビ放送を表示しても構わない。
【００５８】
次に、電子メールの表示がユーザにより終了される（ステップＳ１１２）と、制御部１１９は、第１表示部１０９ａの画面領域の分割を終了し、元の領域にテレビ放送を表示するように出力制御部１０８に対して指示する。この指示を受けた出力制御部１０８は、第１表示部１０９ａの画面領域の分割を終了し、図４（ａ）に示すような第１表示部１０９ａの領域ｄ１にテレビ放送を表示する（ステップＳ１１３）。
【００５９】
以上のように、テレビ放送の表示中に電子メールを受信し、この電子メールを表示する場合に、第１表示部１０９ａの画面領域を分割し、テレビ放送および電子メールを同時に表示しているので、電子メールをすぐに確認することができ、さらに電子メール表示中や返信メール作成中であってもテレビ放送の番組も見ることができる。
【００６０】
なお、上記の説明では、第１表示部１０９ａの画面領域を２分割し、分割した領域に電子メールとテレビ放送とをそれぞれ表示しているが、これに限られるものではない。例えば、電子メールとテレビ放送とを第１表示部と第２表示部にそれぞれ表示しても構わない。図６は、この場合の携帯端末装置の外観を示す図であり、（ａ）携帯端末装置の開いた状態の正面図、（ｂ）（ａ）に示す状態から一方の本体部を回転させた状態の正面図である。なお、図２と同様の構成要素については同じ符号を付し、説明を省略する。
【００６１】
この携帯端末装置２００は、図６（ａ）および（ｂ）に示すように第１本体部２０１および第２本体部２０２が回転接続部２０３を介して連結され、折り畳み可能に構成されている。第１本体部２０１は、正面側に第１表示部１０９ａ、スピーカ１１０ａ、およびカメラ１２３ａを備えている。第２本体部１５２は、正面側に操作部１１４およびマイク１２３ｂを、側面側にメモリカードｍ１が装着されるインターフェース１５４を、背面側に第２表示部１０９ｃを備えている。さらに、第２本体部２０２は、第１本体部２０１に対して回転接続部２０３を介して背面側に１８０度回転する。すなわち、第２本体部２０２は、図６（ａ）に示すように第１本体部２０１の正面側と第２本体部２０２の正面側とが同じ向きである状態から図６（ｂ）に示すように第１本体部２０１の正面側と第２本体部２０２の背面側とが同じ向きになる状態に１８０度回転する。これによって、ユーザは、第１表示部１０９ａおよび第２表示部１０９ｃを同時に見ることができるようになる。
【００６２】
携帯端末装置２００では、例えば第１表示部１０９ａにテレビ放送を表示中に電子メールを受信し、電子メールを表示する際に、第１表示部１０９ａへはテレビ放送の表示をそのまま継続し、第２表示部１０９ｃに電子メールの表示を行う。
【００６３】
このように、携帯端末装置２００では、２つの表示部を用いてテレビ放送および電子メールを同時に表示しているので、上記同様に電子メールをすぐに確認することができ、さらに電子メール表示中や返信メール作成中であってもテレビ放送の番組も見ることができる。
【００６４】
なお、上記の実施の形態では、電子メールを受信した際に、電子メールの表示を行うか否かをユーザに問い合わせているが、これに限られるものではない。例えば、電子メールの表示を行うか否かをユーザに問い合わせないで、テレビ放送の表示を継続、または電子メールの表示のいずれかの動作を行っても構わない。また、このような動作を初期設定部１１８にあらかじめ設定しておくことができる。そして、制御部１１９は、初期設定部１１８に設定された内容に基づいてテレビ放送の表示および電子メールの表示等を制御すればよい。
【００６５】
また、上記の実施の形態では、テレビ放送の番組を記録している場合に電子メールの表示を終了すると、記録したテレビ放送の番組を再生するか否かをユーザに問い合わせているが、これに限られるものではない。例えば、記録したテレビ放送の番組を再生するか否かをユーザに問い合わせないで、記録したテレビ放送の番組の再生、またはテレビ放送の表示を継続のいずれかの動作を行っても構わない。また、このような動作を初期設定部１１８にあらかじめ設定しておくことができる。そして、制御部１１９は、初期設定部１１８に設定された内容に基づいてテレビ放送の表示および記録したテレビ放送の番組の再生等を制御すればよい。
【００６６】
また、上記の実施の形態において、電子メールを受信し、この電子メールの表示を行う場合、音声再生部１１０で再生されているテレビ放送の音声については再生を中止することも継続することも可能である。
【００６７】
（テレビ放送の表示中にテレビ電話を受信）
図７はテレビ放送の表示中にテレビ電話を受信した場合の動作の流れを示すフローチャートである。
【００６８】
送受信処理部１０５は、無線部１０４を介してテレビ電話を受信する（ステップＳ２０１）と、テレビ電話を受信したことを制御部１１９へ、受信したテレビ電話を電話処理部１２２へ通知する。制御部１１９は、電話を受信したことをユーザに通知するように通知部１２１に対して指示する。この指示を受けた通知部１２１は、音、バイブレータ、および発光等によりユーザに電話の受信を通知する（ステップＳ２０２）。
【００６９】
通知の結果、ユーザがテレビ電話に出ないで例えばあらかじめ設定された所定のキーを操作した場合（ステップＳ２０２でＮＯ）には、制御部１１９は、通知の終了を通知部１２１に対して指示するとともに、そのままテレビ放送の表示を継続するように出力制御部１０８に対して指示する。この指示を受けた通知部１２１は、通知を終了する。また、出力制御部１０８は、テレビ放送の表示を継続する（ステップＳ２１０）。同時に、制御部１１９は、留守番電話で応答するように留守電処理部１１３に対して指示する。この指示を受けた留守電処理部１１３は、受信したテレビ電話に対して所定のメッセージで応答し、相手のメッセージを記録する（ステップＳ２１１）。
【００７０】
一方、通知の結果、ユーザがテレビ電話に出た場合（ステップＳ２０２でＹＥＳ）には、制御部１１９は、現在表示中のテレビ放送の番組を記録媒体１１５へ記録するように記録制御部１１６へ指示する。この指示を受けた記録制御部１１６は、現在表示中のテレビ放送の番組を記録媒体１１５へ記録する（ステップＳ２０３）。同時に、制御部１１９は、受信したテレビ電話の画像を第１表示部１０９ａへ表示するように出力制御部１０８へ指示する。この指示を受けた出力制御部１０８は、受信したテレビ電話の画像を第１表示部１０９ａへ表示し、音声を音声再生部１１０で再生する（ステップＳ２０４）。ここで、ユーザの音声および画像は、画像音声入力部１２３から入力され、電話処理部１２２、送受信処理部１０５、および無線部１０４を介して相手と通話を行う。
【００７１】
次に、テレビ電話がユーザにより終了される（ステップＳ２０５）と、制御部１１９は、記録したテレビ放送の番組を再生するか否かの問い合わせを、第１表示部１０９ａに表示するように出力制御部１０８に対して指示する。この指示を受けた出力制御部１０８は、第１表示部１０９ａに「記録したテレビ放送の番組を再生しますか」等のメッセージを表示する（ステップＳ２０６）。ここで、メッセージの回答としてユーザにより「再生する」が選択された場合（ステップＳ２０６でＹＥＳ）には、制御部１１９は、記録媒体１１５に記録されたテレビ放送の番組を再生するように再生制御部１１７へ指示する。この指示を受けた再生制御部１１７は、記録媒体１１５に記録されたテレビ放送の番組を再生する（ステップＳ２０７）。
【００７２】
一方、メッセージの回答としてユーザにより「再生しない」が選択された場合（ステップＳ２０６でＮＯ）には、制御部１１９は、現在放送中のテレビ放送の表示を行うように出力制御部１０８に対して指示する。この指示を受けた出力制御部１０８は、第１表示部１０９ａに現在放送中のテレビ放送の表示を再開する（ステップＳ２０８）。このとき、制御部１１９は、現在表示中のテレビ放送の番組を記録媒体１１５への記録を終了するように記録制御部１１６へ指示する。この指示を受けた記録制御部１１６は、現在表示中のテレビ放送の番組を記録媒体１１５への記録を終了する（ステップＳ２０９）。
【００７３】
以上のように、テレビ放送の表示中にテレビ電話を受信し、このテレビ電話に出る場合に、それまで表示していたテレビ放送の番組を記録媒体１１５へ記録しているので、テレビ電話に出ても、テレビ電話中のテレビ放送の番組も通話終了後に見ることが可能になる。
【００７４】
なお、テレビ放送の表示中にテレビ電話を受信し、テレビ電話に出る際にも、上記電子メールと同様に記録媒体１１５への記録を行わないで２画面表示を行うことができる。この場合、電子メールを表示した領域または表示部にテレビ電話の画像を表示すればよい。また、このときテレビ放送の音声を小さくし、テレビ電話の音声を大きくして両方の音声を出力してもよい。また、テレビ放送の音声をスピーカで、テレビ電話の音声をイヤホンで、または、ステレオイヤホンを用いて片側からテレビ放送の音声を出力し、もう一方からテレビ電話の音声を出力し、というように両方の音声を出力してもよい。
【００７５】
（テレビ放送の表示中に音声だけの電話を受信）
この場合、基本的な動作は、上記テレビ電話を受信した場合の動作と同様であるので、相違する点だけを説明する。
【００７６】
電話に出る場合、音声だけの電話では、テレビ電話のように表示する画像が存在しないため、テレビ電話の画像を表示するのに替えて、単に何も表示しない、またはテレビ放送の表示を継続する、とすることができる。
【００７７】
このようにテレビ放送の表示中に電話を受信し、この電話に出る場合も、テレビ電話の場合と同様に、それまで表示していたテレビ放送の番組を記録媒体１１５へ記録しているので、電話に出ても、電話中のテレビ放送の番組も通話終了後に視聴することが可能になる。
【００７８】
（テレビ放送の表示中に携帯端末装置１００を折り畳む）
図８はテレビ放送の表示中に携帯端末装置１００を折り畳んだ場合の動作の流れを示すフローチャートである。
【００７９】
開閉検出部１２０により、第１本体部１５１および第２本体部１５２が折り畳まれたことが検出される（ステップＳ３０１）と、制御部１１９は、現在表示中のテレビ放送の番組を記録媒体１１５へ記録するように記録制御部１１６へ指示する。この指示を受けた記録制御部１１６は、現在表示中のテレビ放送の番組を記録媒体１１５へ記録する（ステップＳ３０２）。
【００８０】
次に、開閉検出部１２０により、第１本体部１５１および第２本体部１５２が開かれたことが検出される（ステップＳ３０３）と、制御部１１９は、折り畳む前に表示していたテレビ放送の番組を記録媒体１１５へ記録したことを表示するように出力制御部１０８へ指示する。この指示を受けた出力制御部１０８は、第１表示部１０９ａに「折り畳む前に表示していたテレビ放送の番組を記録しました」等のメッセージを表示する（ステップＳ３０４）。さらに、制御部１１９は、記録したテレビ放送の番組を再生するか否かの問い合わせを、第１表示部１０９ａに表示するように出力制御部１０８に対して指示する。この指示を受けた出力制御部１０８は、第１表示部１０９ａに「記録したテレビ放送の番組を再生しますか」等のメッセージを表示する（ステップＳ３０５）。
【００８１】
ここで、メッセージの回答としてユーザにより「再生する」が選択された場合（ステップＳ３０５でＹＥＳ）には、制御部１１９は、記録媒体１１５に記録されたテレビ放送の番組を再生するように再生制御部１１７へ指示する。この指示を受けた再生制御部１１７は、記録媒体１１５に記録されたテレビ放送の番組を再生する（ステップＳ３０６）。なお、記録媒体１１５に記録されたテレビ放送の番組を再生時においても、現在放送中のテレビ放送の記録媒体１１５への記録は継続されている。
【００８２】
一方、メッセージの回答としてユーザにより「再生しない」が選択された場合（ステップＳ３０５でＮＯ）には、制御部１１９は、現在放送中のテレビ放送の表示を行うように出力制御部１０８に対して指示する。この指示を受けた出力制御部１０８は、第１表示部１０９ａに現在放送中のテレビ放送の表示を再開する（ステップＳ３０７）。このとき、制御部１１９は、現在表示中のテレビ放送の番組を記録媒体１１５への記録を終了するように記録制御部１１６へ指示する。この指示を受けた記録制御部１１６は、現在表示中のテレビ放送の番組を記録媒体１１５への記録を終了する（ステップＳ３０８）。なお、このとき、制御部１１９は、現在表示中のテレビ放送の番組を記録媒体１１５への記録を終了するか否かをユーザに対して問い合わせても構わない。また、現在表示中のテレビ放送の番組の記録媒体１１５への記録を番組の終了まで継続しても構わない。また、記録媒体１１５へ記録したテレビ放送を削除しても構わない。さらにこの際には、削除するに先立って、ユーザに記録媒体１１５に記録したテレビ放送を削除するか否かの問い合わせを行っても構わない。
【００８３】
以上のように、テレビ放送の表示中に携帯端末装置１００を折り畳むと、それまで表示していたテレビ放送の番組を記録媒体１１５へ記録しているので、例えば電車に乗車中にテレビ放送を見ていて下車する駅に到着した場合等に、携帯端末装置１００を折り畳むだけでテレビ放送の番組を記録することができ、折り畳んでいる間のテレビ放送の番組を再度携帯端末装置１００を開いたときに見ることが可能になる。
【００８４】
また、上記の実施の形態では、第１本体部１５１および第２本体部１５２が開かれた場合に、記録したテレビ放送の番組を再生するか否かをユーザに問い合わせているが、これに限られるものではない。例えば、記録したテレビ放送の番組を再生するか否かをユーザに問い合わせないで、記録したテレビ放送の番組の再生、またはテレビ放送の表示を継続のいずれかの動作を行っても構わない。また、このような動作を初期設定部１１８にあらかじめ設定しておくことができる。そして、制御部１１９は、初期設定部１１８に設定された内容に基づいてテレビ放送の表示および記録したテレビ放送の番組の再生等を制御すればよい。
【００８５】
次に、テレビ放送の表示中に携帯端末装置１００を折り畳んだ場合に、それまで表示していたテレビ放送を、例えばネットワーク上のサーバ装置（図示しない）で記録する場合について説明する。なお、サーバ装置は、例えばネットワーク上に存在してもよいし、ユーザの自宅等に存在してもよい。
【００８６】
図９はテレビ放送の表示中に携帯端末装置１００を折り畳んだ場合にサーバ装置でテレビ放送を記録する動作の流れを示すフローチャートである。
【００８７】
開閉検出部１２０により、第１本体部１５１および第２本体部１５２が折り畳まれたことが検出される（ステップＳ３１１）と、制御部１１９は、現在表示中のテレビ放送の番組を記録するようにサーバ装置へ指示する。すなわち、制御部１１９は、送受信処理部１０５および無線部１０４を介して、現在表示中のテレビ放送の番組の放送局（チャンネル）を指定して記録指示を送信する（ステップＳ３１２）。
【００８８】
一方、サーバ装置は、記録指示を受信（ステップＳ３２１）すると、指定された放送局の番組の記録を開始する（ステップＳ３２２）。サーバ装置は、記録している番組が終了すると、記録を終了する（ステップＳ３２３）。記録を終了すると、サーバ装置は、記録指示を送信した携帯端末装置に対して指定された番組の記録を完了してことを通知する（ステップＳ３２４）。
【００８９】
他方、携帯端末装置１００では、開閉検出部１２０により、第１本体部１５１および第２本体部１５２が開かれたことが検出される（ステップＳ３１３）と、制御部１１９は、指定した番組の記録完了通知をサーバ装置から受信していれば、折り畳む前に表示していたテレビ放送の番組をサーバ装置への記録が完了したことを表示するように出力制御部１０８へ指示する。この指示を受けた出力制御部１０８は、第１表示部１０９ａに「折り畳む前に表示していたテレビ放送の番組をサーバ装置に記録しました」等のメッセージを表示する（ステップＳ３１４）。
【００９０】
以上のように、テレビ放送の表示中に携帯端末装置１００を折り畳むと、それまで表示していたテレビ放送の番組をサーバ装置で記録しているので、携帯端末装置１００を折り畳むだけでテレビ放送の番組を記録することができ、折り畳んでいる間のテレビ放送の番組を再度携帯端末装置１００を開いたときに見ることが可能になる。また、例えば携帯端末装置１００の記録媒体に記録できる残容量が少ない場合であっても、確実にサーバ装置で記録を行うことができる。
【００９１】
なお、上記実施の形態では、テレビ放送の表示中に携帯端末装置１００を折り畳んだ場合に、それまで表示していたテレビ放送を記録しているが、これに限られるものではない。例えば、図１０（ａ）に示すようにそれまで表示していたテレビ放送の受信を停止することもできる。この場合、開閉検出部１２０により、第１本体部１５１および第２本体部１５２が折り畳まれたことが検出される（ステップＳ３３１）と、制御部１１９は、現在表示中のテレビ放送の受信を停止するようにＴＶ受信部１０１へ指示するとともに、テレビ放送の映像および音声の出力を停止するように出力制御部１０８へ指示する。この指示を受けたＴＶ受信部１０１は、テレビ放送の受信を停止する。また、出力制御部１０８は、テレビ放送の映像および音声の出力を停止する（ステップＳ３３２）。
【００９２】
また、図１０（ｂ）に示すようにそれまで表示していたテレビ放送の表示を停止することもできる。この場合、開閉検出部１２０により、第１本体部１５１および第２本体部１５２が折り畳まれたことが検出される（ステップＳ３４１）と、制御部１１９は、現在表示中のテレビ放送の映像の第１表示部１０９ａへの表示を停止するように出力制御部１０８へ指示する。この指示を受けた出力制御部１０８は、テレビ放送の映像の第１表示部１０９ａへの表示を停止する（ステップＳ３４２）。このとき、音声再生部１１０でのテレビ放送の音声の再生は継続されている。
【００９３】
以上のように、テレビ放送の表示中に携帯端末装置１００を折り畳むと、それまで表示していたテレビ放送の受信、または表示を停止し、電力消費の大きい表示部への表示を停止しているので、電力消費を抑制することができる。
【００９４】
なお、携帯端末装置１００では、上記に説明したテレビ放送の表示中に携帯端末装置１００を折り畳んだ場合に行う動作の中で、いずれの動作を実行するかを初期設定部１１８にあらかじめ設定しておくことができる。そして、制御部１１９は、初期設定部１１８に設定された内容に基づいて携帯端末装置１００を折り畳んだ場合の動作を制御すればよい。
【００９５】
また、上記の実施の形態では、第１本体部１５１および第２本体部１５２が折り畳まれた場合に、表示中のテレビ放送を記録媒体に記録する場合について説明しているが、折り畳み式ではなく例えばスライド式等の携帯情報端末で、画面が見えなくなるように閉じた状態になった場合でも同様の処理を行うことができることはいうまでもない。
【００９６】
（テレビ放送の表示中に出力停止キーを押下）
図１１はテレビ放送の表示中に出力停止キーを押下した場合の動作の流れを示すフローチャートである。
【００９７】
操作部１１４の所定のキーである出力停止キーがユーザによって押下される（ステップＳ４０１）と、制御部１１９は、あらかじめ設定された所定時間の計時を行うようにタイマー部１１２へ指示する。この指示を受けたタイマー部１１２は、所定時間の計時を開始する（ステップＳ４０２）。同時に、制御部１１９は、現在表示中のテレビ放送の映像の第１表示部１０９ａへの表示を停止するように出力制御部１０８へ指示する。この指示を受けた出力制御部１０８は、テレビ放送の映像の第１表示部１０９ａへの表示を停止する（ステップＳ４０３）。
【００９８】
次に、タイマー部１１２は、所定時間の計時を終了すると、制御部１１９へ通知する（ステップＳ４０４）。制御部１１９は、所定時間が経過したことをユーザに通知するように通知部１２１に対して指示する。この指示を受けた通知部１２１は、音、バイブレータ、および発光等によりユーザに所定時間が経過したことを通知する（ステップＳ４０５）。このとき、制御部１１９は、操作部１１４の所定のキーである出力再開キーがユーザによって押下されたか判断する（ステップＳ４０６）。ユーザによって出力再開キーが押下される（ステップＳ４０６でＹＥＳ）と、制御部１１９は、テレビ放送の映像の第１表示部１０９ａへの表示を再開するように出力制御部１０８へ指示する。この指示を受けた出力制御部１０８は、テレビ放送の映像の第１表示部１０９ａへの表示を再開する（ステップＳ４０７）。
【００９９】
以上のように、テレビ放送の表示中に出力停止キーを押下すると、それまで表示していたテレビ放送の表示を停止しているので、電力消費の大きい表示部での電力消費がなく、電力消費を抑制することができる。
【０１００】
なお、上記実施の形態では、出力停止キーが押下された場合、テレビ放送の映像の第１表示部１０９ａへの表示を停止するとしているが、これに限られるものではない。例えば、テレビ放送の受信の停止を停止するようにしても構わない。 
【０１０１】
また、上記実施の形態では、所定時間が経過した後、出力再開キーが押下されることで表示を再開しているが、これに限られるものではない。例えば、所定時間が経過した後、表示を再開し、表示を再開したことをユーザに通知することとしても構わない。
【０１０２】
（テレビ放送の表示中にＣＭを検出）
図１２（ａ）はテレビ放送の表示中にＣＭ時停止キーを押下した場合の動作の流れを示すフローチャートである。
【０１０３】
操作部１１４の所定のキーであるＣＭ時停止キーがユーザによって押下される（ステップＳ４１１）と、制御部１１９は、現在表示中のテレビ放送の番組においてＣＭを検出するようにＣＭ検出部１１１へ指示する。この指示を受けたＣＭ検出部１１１は、ＣＭの検出を開始する（ステップＳ４１２）。そして、ＣＭ検出部１１１は、ＣＭを検出するとこの旨を制御部１１９へ通知する（ステップＳ４１３）。次に、制御部１１９は、現在表示中のテレビ放送の映像の第１表示部１０９ａへの表示を停止するように出力制御部１０８へ指示する。この指示を受けた出力制御部１０８は、テレビ放送の映像の第１表示部１０９ａへの表示を停止する（ステップＳ４１４）。
【０１０４】
ここで、ＣＭ検出部１１１は、ＣＭが終了して番組が再開したことを検出するとこの旨を制御部１１９へ通知する（ステップＳ４１５）。制御部１１９は、番組が再開したことをユーザに通知するように通知部１２１に対して指示する。この指示を受けた通知部１２１は、音、バイブレータ、および発光等によりユーザに番組が再開したことを通知する（ステップＳ４１６）。このとき、制御部１１９は、操作部１１４の所定のキーである出力再開キーがユーザによって押下されたか判断する（ステップＳ４０６）。ユーザによって出力再開キーが押下される（ステップＳ４０６でＹＥＳ）と、制御部１１９は、テレビ放送の映像の第１表示部１０９ａへの表示を再開するように出力制御部１０８へ指示する。この指示を受けた出力制御部１０８は、テレビ放送の映像の第１表示部１０９ａへの表示を再開する（ステップＳ４０７）。
【０１０５】
上記実施の形態では、ＣＭ時停止キーがユーザによって押下されたことで、ＣＭ検出部１１１はＣＭの検出を開始したが、あらかじめＣＭ検出部１１１はＣＭの検出を行うように初期設定部１１８にあらかじめ設定しても構わない。図１２（ｂ）はあらかじめＣＭの検出を行うように設定した場合の動作の流れを示すフローチャートである。この場合、上記実施の形態におけるＣＭ時停止キーの押下およびＣＭ検出部１１１でのＣＭ検出の開始動作（ステップＳ４１１〜Ｓ４１２）が省略されることになる。
【０１０６】
以上のように、テレビ放送の表示中にＣＭを検出すると、それまで表示していたテレビ放送の表示を停止しているので、電力消費の大きい表示部での電力消費がなく、電力消費を抑制することができる。
【０１０７】
なお、上記実施の形態では、ＣＭを検出した場合、テレビ放送の映像の第１表示部１０９ａへの表示を停止するとしているが、これに限られるものではない。例えば、第１表示部１０９ａへの表示の停止に加えて、音声再生部１１０でのテレビ放送の音声の再生も停止するようにしても構わない。
【０１０８】
また、上記実施の形態では、番組が再開した後、出力再開キーが押下されることで表示を再開しているが、これに限られるものではない。例えば、所定時間が経過した後、表示を再開し、表示を再開したことをユーザに通知することとしても構わない。
【０１０９】
なお、上記実施の形態では、ＭＰＥＧ２トランスポートストリーム等のストリームによるテレビ放送を例に説明したが、ＴＶ受信部１０１およびＴＶ処理部１０２は、アナログ放送を受信および再生してもよい。
【０１１０】
また、図１に示したブロック図の各機能ブロックは典型的には集積回路であるＬＳＩとして実現される。このＬＳＩは１チップ化されても良いし、複数チップ化されても良い（例えばメモリ以外の機能ブロックが１チップ化されていても良い。）。ここでは、ＬＳＩとしたが、集積度の違いにより、ＩＣ、システムＬＳＩ、スーパーＬＳＩ、ウルトラＬＳＩと呼称されることもある。
【０１１１】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【０１１２】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１１３】
また、各機能ブロックのうち、データを格納するユニットだけ１チップ化せずに、本実施の形態の記録媒体１１５のように別構成としても良い。
【０１１４】
また、図１に示したブロック図の各機能ブロックおよび図３、図５、図７〜１２に示したフローチャートは、その中心的部分をプロセサおよびプログラムによって実現される。
【産業上の利用可能性】
【０１１５】
以上のように本発明に係る携帯端末装置は、テレビ放送を受信し、表示することができる携帯端末装置に適しており、例えばテレビ付き携帯電話機、テレビ付きＰＤＡ（Personal digital assistant）などに適している。
【符号の説明】
【０１１６】
１００  携帯端末装置
１０１  ＴＶ受信部
１０２  ＴＶ処理部
１０３  補助情報処理部
１０４  無線部
１０５  送受信処理部
１０６  メール処理部
１０７  メール保存部
１０８  出力制御部
１０９ａ  第１表示部
１０９ｂ  第２表示部
１１０  音声再生部
１１１  ＣＭ検出部
１１２  タイマー部
１１３  留守電処理部
１１４  操作部
１１５  記録媒体
１１６  記録制御部
１１７  再生制御部
１１８  初期設定部 
１１９  制御部
１２０  開閉検出部
１２１  通知部
１２２  電話処理部
１２３  画像音声入力部
【図１】
2011244483.tif 000003
【図２】
2011244483.tif 000004
【図３】
2011244483.tif 000005
【図４】
2011244483.tif 000006
【図５】
2011244483.tif 000007
【図６】
2011244483.tif 000008
【図７】
2011244483.tif 000009
【図８】
2011244483.tif 000010
【図９】
2011244483.tif 000011
【図１０】
2011244483.tif 000012
【図１１】
2011244483.tif 000013
【図１２】
2011244483.tif 000014